(57)【要約】      （修正有）【課題】発熱したエネルギを無駄にすることなく最大限に利用でき、かつ火鉢形状による情緒を堪能できる電気火鉢を提供する。【解決手段】本体１０上部に形成した天板２の開口部２２に、ヒータユニット３を備えた電気火鉢１であって、ヒータユニット３を、側方から見て断面凹状に形成した炉と、炉の中央に位置するヒータ部３２とから構成し、前記炉を、ヒータ部３２が発生する熱を伝導し、該熱を輻射熱として放射する熱伝導性材料で形成した。さらに、天板２の内側開口縁部と、内側開口縁部に取り付けられる炉との間に、炉から天板への熱伝導を遮断する断熱材５を備えた。【選択図】図１
2006003048.tif 000002
【特許請求の範囲】
【請求項１】
本体上部に形成した天板の開口部に、ヒータユニットを備えた電気火鉢であって、
前記ヒータユニットを、側方から見て断面凹状に形成した炉と、該炉の中央に位置するヒータ部とから構成し、
前記炉を、前記ヒータ部が発生する熱を伝導し、該熱を輻射熱として放射する熱伝導性材料で形成した
電気火鉢。
【請求項２】
前記炉の裏面側に、該炉が放射する輻射熱を表面側に反射する反射材を備えた
請求項１に記載の電気火鉢。
【請求項３】
前記ヒータ部を、熱源であるハロゲンランプと、該ハロゲンランプの放射熱を反射する反射板で構成して前記炉の中央に取付け、
前記反射板に、前記放射熱を所望の方向に向けて反射する形状で形成した反射面を備えた
請求項１あるいは請求項２に記載の電気火鉢。
【請求項４】
前記天板の開口縁部と、該開口縁部に取り付けられる前記炉との間に、前記炉から前記天板への熱伝導を遮断する断熱手段を備えた
請求項１から請求項３のいずれか１つに記載の電気火鉢。
【請求項５】
前記炉の底面を、蓄熱量の増加と共に輻射熱の放射を増大させる凹凸形状とした
請求項１から請求項４のいずれか１つに記載の電気火鉢。
【発明の詳細な説明】
【技術分野】
【０００１】
この発明は、例えば電気式のヒータを熱源とした電気火鉢に関する。
【背景技術】
【０００２】
現在、様々な熱源の暖房器具が流通しているが、日本古来からの暖房器具である火鉢と比較すると、いずれの暖房器具も機能的であるが、情緒に欠けるものばかりであった。
【０００３】
また、前記火鉢や石油またはガスを燃料とする暖房器具は、昨今の住宅の密閉性から換気に留意する必要があった。
【０００４】
最近では、現在の暖房器具の機能性と古来の火鉢の情緒を融合させ、換気の心配のない火鉢型ハロゲン電気ストーブが提案されている（特許文献１参照）。
【０００５】
しかし、前記ハロゲン電気ストーブは、熱源であるハロゲンランプユニットからの伝導熱によって熱せられる天板を冷却する内部ファンを備えており、前記ハロゲン電気ストーブの使用時には、内部ファンが常時稼動している。
【０００６】
これにより静寂な空間においてファンの稼動音が雑音となり、火鉢形状による情緒を半減させていた。また、火鉢内にファンを内蔵させるためのスペースが必要であり、古来の火鉢に設けている引き出しの装備が不可能であった。
また、内部ファンによって冷却することと、熱源によって発熱することとは効果が相反するものであり、暖房を目的として発熱したエネルギに無駄が生じていた。
【０００７】
【特許文献１】実用新案登録第３０３７７６７号公報
【発明の開示】
【発明が解決しようとする課題】
【０００８】
この発明は、上述の問題を鑑み、発熱したエネルギを無駄にすることなく最大限に利用でき、かつ火鉢形状による情緒を堪能できる電気火鉢を提案するものである。
【課題を解決するための手段】
【０００９】
この発明は、本体上部に形成した天板の開口部に、ヒータユニットを備えた電気火鉢であって、前記ヒータユニットを、側方から見て断面凹状に形成した炉と、該炉の中央に位置するヒータ部とから構成し、前記炉を、前記ヒータ部が発生する熱を伝導し、該熱を輻射熱として放射する熱伝導性材料で形成した電気火鉢であることを特徴とする。
【００１０】
これにより、ヒータ部の放射熱による暖房効果のみならず、炉に伝導された伝導熱によって炉が加熱され、炉の輻射熱による暖房効果も得ることができる。
【００１１】
この発明の態様として、前記炉の裏面側に、前記炉が放射する輻射熱を表面側に反射する反射材を備えることができる。
【００１２】
これにより、前記炉から本体内部に放射し、無駄になっていた輻射熱を表面側、すなわち本体上部側に反射して、輻射熱をより効率的に利用することができる。
【００１３】
また、この発明の態様として、前記ヒータ部を、熱源であるハロゲンランプと、該ハロゲンランプの放射熱を反射する反射板で構成して前記炉の中央に取付け、前記反射板に、前記放射熱を所望の方向に向けて反射する形状で形成した反射面を備えることができる。
【００１４】
これにより、ハロゲンランプから放射される放射熱を、任意の方向へ反射させることができ、反射された反射熱を拡散させて、広範囲の本体上方を暖めることができる。また、やかん等の調理器具をヒータ部の上方に載置する場合は、反射熱を集中させて効率的に加熱することができる。
【００１５】
また、この発明の態様として、前記天板の開口縁部と、該開口縁部に取り付けられる前記炉との間に、前記炉から前記天板への熱伝導を遮断する断熱手段を備えることができる。
【００１６】
これにより、より効率的に炉の輻射熱を利用し得、さらに天板が加熱されないため、天板部分をテーブルとして安全に利用することが可能である。
【００１７】
さらにまた、この発明の態様として前記炉の底面を、蓄熱量の増加と共に輻射熱の放射を増大させる凹凸形状とすることができる。
【００１８】
これにより、増大された輻射熱により、より効率的な暖房効果を得ることができる。また、炉の蓄熱量も増加されるため、ヒータ部の稼動を停止してから数刻の間の暖房効果を得ることができる。
【発明の効果】
【００１９】
この発明により、発熱した熱エネルギを最大限に利用できる。
【発明を実施するための最良の形態】
【００２０】
この発明の一実施形態を以下図面と共に説明する。  
図１は、電気火鉢１を右側上方より見た斜視図を示す。
【００２１】
電気火鉢１は、本体１０と、天板２と、ヒータユニット３と電源装置４から構成している。
【００２２】
天板２の奥行きおよび幅の外寸法は、本体１０より大きく、おおよそ５０ｃｍ四方であり、中央に約３２ｃｍ四方の開口部２２を設けている。  
ヒータユニット３は、開口部２２に取り付けられている。
【００２３】
なお、本体１０および天板２は木材によって形成している。
【００２４】
本体１０の前板１１の中央下部には、引手金具１４を設けた引き出し１３を備え、本体１０の両側面には、電気火鉢１を運搬する際の握持手段となる引手金具１４を取り付けている。
【００２５】
図２は電気火鉢１のＡ−Ａ断面図であり、図３はヒータユニット３の取付け部の拡大図である。
【００２６】
開口部２２の内側開口縁部２２１には、炉３１の鍔部３１１を係止するための段差状の係止部２１を設けている。ヒータユニット３は、炉３１の外周に備えた鍔部３１１を係止部２１に係止して天板２に取り付ける。炉３１と内側開口縁部２２１との間には、断熱材５を設けている。
【００２７】
電源装置４は、電源側コネクタ４１と、コントローラ４２と、コード４３と、本体側コネクタ４４とから構成し、本体側コネクタ４４を背板１２に備えた差し込み口１２１を貫通して本体１０内部に装備された制御部１５に接続し、電源側コネクタ４１を家庭用コンセントに接続する。
【００２８】
なお、コントローラ４２は、電気火鉢１の始動、停止および温度調節を行うための入力装置である。
【００２９】
図４は、ヒータユニット３の平面図であり、図５は、ヒータユニット３のＢ−Ｂ断面図である。
【００３０】
ヒータユニット３は、炉３１と、ヒータ部３２と、五徳３３から構成し、炉３１の上部外周には、係止部２１（図３）に係止するための鍔部３１１がある。なお、炉３１は銅製であるが、銅以外の熱伝導性および蓄熱作用の高い材料で形成してもよい。
【００３１】
炉３１底面に形成した底板３１２の中央に、ヒータ部３２を取り付けるための孔部３１３を設けている。
【００３２】
五徳３３は、ヒータ部３２の上方の孔部３１３を臨んで底板３１２上に載置している。電気火鉢１使用時には、五徳３３にやかん等を載置して使用することができる。
【００３３】
ヒータ部３２は、ガードプレート３２１と、ハロゲンランプ３２２と、反射板３２３と、基板３２４と、スペーサ３２５ならびに固定スタンド３２６から構成している。
【００３４】
ガードプレート３２１は、熱源であるハロゲンランプ３２２の上方からの落下物による破損の防止を目的として、反射板３２３に固定している。
【００３５】
ハロゲンランプ３２２は、平面視馬蹄形に形成したハロゲンランプ管であり、ガードプレート３２１と反射板３２３との間に配して、ハロゲンランプ３２２の基端を、反射板３２３の上面後縁部に固定している。
【００３６】
反射板３２３は、反射部３２３１を有し、ハロゲンランプ３２２の下向きの放射熱を上向きに反射させる。  
反射部３２３１の傾斜角度を変更することによって、反射方向を任意に設定することができ、反射板３２３は、スペーサ３２５を介して基板３２４に固定している。
【００３７】
基板３２４の前方に取り付けられた固定スタンド３２６は、基端と反対側のハロゲンランプ３２２の前方を固定する。固定スタンド３２６は、線条を有する弾性体であり、ハロゲンランプ３２２は熱膨張等の力によって応力が発生しないように弾性固定されている。
【００３８】
これにより、電気火鉢１は、三段階の暖房機構を構成する。  
最初にハロゲンランプ３２２からの直接の放射熱による暖房効果、次にハロゲンランプ３２２の放射熱を反射部３２３１によって反射する反射熱による暖房効果、最後に放射熱および反射熱から炉３１に伝導する伝導熱が炉３１に蓄熱され、炉３１の輻射熱による暖房効果の三段階の暖房効果を得ることができる。
【００３９】
なお、ハロゲンランプ３２２は、起動後数秒で加熱しはじめるため、早い段階で、暖房効果を得ることができる。  
また、この実施形態においては、反射熱を上方に拡散するように反射部３２３１の角度を設定しているためヒータユニット３の上方の広範囲に暖房効果を得ることができる。
【００４０】
また、炉３１は銅製であり、熱伝導性能が高いため、ヒータ部３２の熱を無駄なく伝導することができる。さらに銅製の炉３１は、蓄熱効果も高いため、ハロゲンランプ３２２を停止してからも、蓄熱された炉３１の輻射熱による暖房効果がある。
【００４１】
また、ヒータ部３２で発生した熱が、断熱材５によって断熱されて天板２に伝導されず、そのため、天板２表面は加熱されず、テーブルとして安全に活用ができる。
【００４２】
さらに、炉３１に蓄熱された熱エネルギを無駄にせず、炉３１の輻射熱として最大限利用することができる。
【００４３】
図６は、炉３１の裏面側に反射材６を備えたヒータユニット３のＣ−Ｃ底面図であり、図７は、底板３１２に少なくとも表面に、滑らかな曲線形状となる凹凸面３１４を加工したヒータユニット３の平面図であり、図８はヒータユニット３のＤ−Ｄ拡大断面図である。
【００４４】
底板３１２（図５）の裏面側、すなわち本体１０（図１）内部側における反射板３２３で覆われていない部分に反射材６を備えている。
【００４５】
これにより、本体１０（図１）内部に放射されていた炉３１（図５）の輻射熱を反射して、炉３１に戻し、再度炉３１の輻射熱として利用することができる。  
さらに、本体１０内部に輻射熱が放射されないため、引き出し１３（図１）等の本体１０の他の部材に断熱材５を必要としない。
【００４６】
また、凹凸面３１４を底板３１２に加工したことにより、炉３１の底板３１２の断面積は増大され、蓄熱量が増加する。また、同時に表面積も増大するため、輻射熱量も増加され、より暖房効果を得ることができる。  
また、底板３１２に放射状の凹凸面３１４を備えても同様の効果をえることができる。
【００４７】
さらにまた、反射部３２３１を可動機構を備えてもよい。  
これにより、やかん等を暖める場合は、反射熱を集中させ、逆に部屋を暖める場合は、反射熱を拡散させるというような、用途に合わせた反射熱の反射方向を調整することができる。
【００４８】
他の実施形態について以下で説明する。
【００４９】
図９〜１６は、長火鉢型の電気火鉢１を示し、図１７〜２４は長箱型の電気火鉢１を示す。なお、長火鉢型および長箱型の電気火鉢１の実施形態において上述の実施形態の説明と同一の部は、同一の符号を付し、詳細な説明は、省略する。
【００５０】
長火鉢型および長箱型の電気火鉢１は、共に天板２が平面視長方形であり、ヒータユニット３を一方に寄せて取り付けている。これにより、天板２の他方にスペースを確保することができる。長火鉢型の電気火鉢１のように天板２のスペースに、埋め込み型の収納箱等１７を取り付けてもよいし、テーブルとして利用してもよい。
【００５１】
また、本体１０の内部にも空間を確保することができるため長箱型の電気火鉢１のように引き出し１３を複数段備えてもよい。
【００５２】
この発明の構成と、上述の実施形態との対応において、
この発明の反射面は、反射部３２３１に対応し、
以下同様に
開口縁部は、内側開口縁部２２１に対応し、
断熱手段は、断熱材５に対応し、
底面は、底板３１２に対応し、
曲面形状は、凹凸面３１４に対応するも、
この発明は、上述の実施形態の構成のみに限定されるものではなく、多くの実施の形態を得ることができる。
【図面の簡単な説明】
【００５３】
【図１】電気火鉢を右側上方より見た斜視図。
【図２】電気火鉢のＡ−Ａ断面図。
【図３】ヒータユニットの取付け部の拡大図。
【図４】ヒータユニットの平面図。
【図５】ヒータユニットのＢ−Ｂ断面図。
【図６】炉の裏面側に反射材を備えたヒータユニットのＣ−Ｃ底面図。
【図７】底板に凹凸面を施したヒータユニットの平面図。
【図８】ヒータユニットのＤ−Ｄ拡大断面図。
【図９】長火鉢型の電気火鉢を右側上方より見た斜視図。
【図１０】長火鉢型の電気火鉢の正面図。
【図１１】長火鉢型の電気火鉢の平面図。
【図１２】長火鉢型の電気火鉢の底面図。
【図１３】長火鉢型の電気火鉢の背面図。
【図１４】長火鉢型の電気火鉢の右側面図。
【図１５】長火鉢型の電気火鉢のＡ−Ａ断面図。
【図１６】長火鉢型の電気火鉢の使用状態を右側上方より見た参考斜視図。
【図１７】長箱型の電気火鉢を右側上方より見た斜視図。
【図１８】長箱型の電気火鉢の正面図。
【図１９】長箱型の電気火鉢の平面図。
【図２０】長箱型の電気火鉢の底面図。
【図２１】長箱型の電気火鉢の背面図。
【図２２】長箱型の電気火鉢の右側面図。
【図２３】長箱型の電気火鉢のＡ−Ａ断面図。
【図２４】長箱型の電気火鉢の使用状態を右側上方より見た参考斜視図。
【符号の説明】
【００５４】
１…電気火鉢
２…天板
３…ヒータユニット
５…断熱材
６…反射材
１０…本体
２２…開口部
３１…炉
３２…ヒータ部
２２１…内側開口縁部
３１２…底板
３１４…凹凸面
３２２…ハロゲンランプ
３２３…反射板
３２３１…反射部
【図１】
2006003048.tif 000003
【図２】
2006003048.tif 000004
【図３】
2006003048.tif 000005
【図４】
2006003048.tif 000006
【図５】
2006003048.tif 000007
【図６】
2006003048.tif 000008
【図７】
2006003048.tif 000009
【図８】
2006003048.tif 000010
【図９】
2006003048.tif 000011
【図１０】
2006003048.tif 000012
【図１１】
2006003048.tif 000013
【図１２】
2006003048.tif 000014
【図１３】
2006003048.tif 000015
【図１４】
2006003048.tif 000016
【図１５】
2006003048.tif 000017
【図１６】
2006003048.tif 000018
【図１７】
2006003048.tif 000019
【図１８】
2006003048.tif 000020
【図１９】
2006003048.tif 000021
【図２０】
2006003048.tif 000022
【図２１】
2006003048.tif 000023
【図２２】
2006003048.tif 000024
【図２３】
2006003048.tif 000025
【図２４】
2006003048.tif 000026